(57)【特許請求の範囲】
【請求項１】
カラオケデータを再生するとともに、背景画像を表示部に表示するカラオケシステムであって、
指示入力を受け付ける受付手段と、
前記受け付けた指示入力に基づいて、第１の記録手段に予め記録されている複数のカラオケデータから一のカラオケデータを選択し、当該選択したカラオケデータを再生するカラオケデータ再生手段と、
前記カラオケデータの再生中に再生される効果音のデータが効果音データとして複数記録される第２の記録手段と、所与の関連性を有する複数の部分画像から構成される画像群のデータが画像群データとして前記カラオケデータと関連付けられて複数記録される第３の記録手段と、を制御する制御手段と、
前記カラオケデータが選択される際に、当該再生されるカラオケデータに基づいて、前記第３の記録手段に記録されている前記画像群データの中から、該当する画像群データを特定する特定手段と、
前記カラオケデータの再生中に、前記特定された画像群データを再生する画像データ再生手段と、
前記カラオケデータの再生中に、前記受け付けた指示入力に基づいて、前記第２の記録手段に記録されている前記効果音データを特定し、当該特定した効果音データを再生する効果音データ再生手段と、
を備え、
前記画像データ再生手段が、
前記カラオケデータの再生中に特定された効果音データによって示される少なくとも前記効果音の種別に基づいて、前記特定された画像群データにおける部分画像を当該画像群データの他の部分画像に切り換え、他の部分画像を前記表示部に表示させることを特徴とするカラオケシステム。
【請求項２】
請求項１に記載のカラオケシステムにおいて、
前記画像データ再生手段が、
前記カラオケデータの再生中に特定された効果音データによって示される少なくとも前記効果音の種別及び回数に基づいて、前記特定された画像群データにおける部分画像を当該画像群データの他の部分画像に切り換え、他の部分画像を前記表示部に表示させることを特徴とするカラオケシステム。
【請求項３】
請求項１又は２に記載のカラオケシステムにおいて、
前記画像データ再生手段が、
予め定められた前記部分画像の切り換えタイミングに関連付けられた所与のタイミングまでに前記効果音データの特定が行われた場合に、当該切り換えタイミングに再生中の部分画像を前記他の部分画像に切り換える、カラオケシステム。
【請求項４】
請求項１〜３のいずれか１項に記載のカラオケシステムにおいて、
前記画像データ再生手段が、
前記カラオケデータの再生中に特定された効果音データに基づいて、複数の再生候補の中から１の部分画像を選択し、当該選択した部分画像データに切り換える、カラオケシステム。
【請求項５】
請求項１〜４のいずれか１項に記載のカラオケシステムにおいて、
前記画像データ再生手段が、
前記所与の関連性を有する複数の部分画像から構成される画像群データが、予め定められたストーリーによって構成されている画像群データである、カラオケシステム。
【請求項６】
カラオケデータを再生するとともに、背景画像を表示部に表示するカラオケ装置用のコンピュータを、
指示入力を受け付ける受付手段、
前記受け付けた指示入力に基づいて、第１の記録手段に予め記録されている複数のカラオケデータから一のカラオケデータを選択し、当該選択したカラオケデータを再生するカラオケデータ再生手段、
前記カラオケデータの再生中に再生される効果音のデータが効果音データとして複数記録される第２の記録手段と、所与の関連性を有する複数の部分画像から構成される画像群のデータが画像群データとして前記カラオケデータと関連付けられて複数記録される第３の記録手段と、を制御する制御手段、
前記カラオケデータが選択される際に、当該再生されるカラオケデータに基づいて、前記第３の記録手段に記録されている前記画像群データの中から、該当する画像群データを特定する特定手段、
前記カラオケデータの再生中に、前記特定された画像群データを再生する画像データ再生手段、
前記カラオケデータの再生中に、前記受け付けた指示入力に基づいて、前記第２の記録手段に記録されている前記効果音データを特定し、当該特定した効果音データを再生する効果音データ再生手段、
として機能させるとともに、
前記カラオケデータの再生中に特定された効果音データによって示される少なくとも前記効果音の種別に基づいて、前記特定された画像群データにおける部分画像を当該画像群データの他の部分画像に切り換え、他の部分画像を前記表示部に表示させることを特徴とするプログラム。
【発明の詳細な説明】
【技術分野】
【０００１】
本発明は、カラオケ用の楽音を再生し、ユーザにカラオケを実施させるカラオケシステム及びプログラムに関する。
【背景技術】
【０００２】
近年、伴奏のみからなるカラオケデータ（いわゆる、カラオケ用カラオケデータ）を再生し、当該再生により演奏された楽曲に併せてユーザが歌うカラオケ歌唱は、娯楽や趣味として認知されている。
【０００３】
また、最近では、演奏曲の出力中において、所定の入力操作に応じて予め記録されたエフェクト音声を出力させるとともに、そのエフェクト音声の出力と同期して予め記録されたエフェクト映像を背景画像に付加して表示させるエフェクト処理を施すカラオケシステムも提案されている。
【０００４】
このカラオケシステムにおいては、ユーザによってリモコン装置などのボタンを押し下げしたことを検出すると、エフェクト処理として、例えば「爆発」のエフェクト音声が再生されるとともに、爆発に際しての光を表す短時間の動画及び静止画であるエフェクト画像が、背景画像や歌詞の画像上に合成されたカラオケ画像（すなわち、歌唱時にカラオケシステムのディスプレイに表示される画像）として表示させる構成を有している。
【先行技術文献】
【特許文献】
【０００５】
【特許文献１】特開２００５−１７３０８０号公報
【発明の概要】
【発明が解決しようとする課題】
【０００６】
しかしながら、上記特許文献１に記載のカラオケシステムにおいては、複数のエフェクト音声の各々に対応したエフェクト画像が予め記録されているだけで、ユーザによる任意の操作入力に応じて、背景画像のレイヤに重ねてエフェクト画像を表示する構成のみであるため、カラオケ中に表示される背景画像そのものは変化しない。
【０００７】
したがって、このようなカラオケシステムにおいては、歌唱ユーザのみならず、それ以外のユーザ（例えば、歌唱ユーザとともにカラオケに興じるグループメンバー）にとっては、似たような背景画像を、毎回視聴することになり、背景画像に飽きてしまう可能性が高い。
【０００８】
本発明は、上記課題を解決するためになされたものであり、その目的は、カラオケデータの再生中に、歌唱者を含めたユーザに対して新たな興趣性のある背景画像を提供し、新たな魅力を備えたカラオケシステム等を提供することにある。
【課題を解決するための手段】
【０００９】
上記課題を解決するため、本発明のカラオケシステムは、カラオケデータを再生するとともに、背景画像を表示部に表示するカラオケシステムであって、指示入力を受け付ける受付手段と、前記受け付けた指示入力に基づいて、第１の記録手段に予め記録されている複数のカラオケデータから一のカラオケデータを選択し、当該選択したカラオケデータを再生するカラオケデータ再生手段と、前記カラオケデータの再生中に再生される効果音のデータが効果音データとして複数記録される第２の記録手段と、所与の関連性を有する複数の部分画像から構成される画像群のデータが画像群データとして前記カラオケデータと関連付けられて複数記録される第３の記録手段と、を制御する制御手段と、前記カラオケデータが選択される際に、当該再生されるカラオケデータに基づいて、前記第３の記録手段に記録されている前記画像群データの中から、該当する画像群データを特定する特定手段と、前記カラオケデータの再生中に、前記特定された画像群データを再生する画像データ再生手段と、前記カラオケデータの再生中に、前記受け付けた指示入力に基づいて、前記第２の記録手段に記録されている前記効果音データを特定し、当該特定した効果音データを再生する効果音データ再生手段と、を備え、前記画像データ再生手段が、前記カラオケデータの再生中に特定された効果音データに基づいて、前記特定された画像群データにおける部分画像を当該画像群データの他の部分画像に切り換え、他の部分画像をモニタに表示させる構成を有している。
【００１０】
この構成により、本発明は、カラオケシステムを構成するリモコン装置等により受け付けられたユーザの指示入力に基づいて、対応する効果音を再生するとともに、当該効果音に基づいて特定された画像群データにおける部分画像を切り換えて表示させることができる。
【００１１】
したがって、本発明は、例えば、ユーザなどにから受け付けた指示に基づいて効果音を再生させれば、カラオケデータの再生中に任意のタイミングで再生する画像を切り換えることができるので、再生される画像に飽きること無く、かつ、当該画像にも興味を抱かせることができるとともに、例えば、切り替わる画像にストーリー性を有していれば、さらに各ユーザの画像に対する興趣性を向上させることができる。
【００１２】
この結果、本発明は、カラオケデータの再生中に、歌唱者を含めたユーザについて画像による新たな興趣性を提供し、楽曲に合わせて歌唱するだけでなく、新たな魅力を提供することができる。
【発明の効果】
【００１３】
本発明のカラオケシステム等は、カラオケデータの再生中に、歌唱者を含めたユーザに対して新たな興趣性のある背景画像を提供し、楽曲に合わせて歌唱するだけでなく、新たな魅力を提供することができる。
【図面の簡単な説明】
【００１４】
【図１】本発明に係るカラオケ通信システムにおける一実施形態の構成を示すシステム構成図である。
【図２】一実施形態において、カラオケデータを構成する楽曲パートと、背景画像の関係性を示す図である。
【図３】一実施形態のカラオケシステムの構成を示す構成ブロック図である。
【図４】一実施形態のカラオケシステム内に設けられる効果音データベースに記録されるデータの一例を示す図である。
【図５】一実施形態のカラオケシステム内に設けられる背景画像データベースに記録されるデータの一例を示す図である。
【図６】一実施形態のカラオケシステムにおいて実行される処理を示すフローチャート（その１）である。
【図７】一実施形態のカラオケシステムにおいて実行される処理を示すフローチャート（その２）である。
【図８】一実施形態の通信端末装置に表示される入力画面の一例を示す図である。
【図９】一実施形態の変形例において、カラオケシステム内に設けられる背景画像データベースに記録されるデータの一例を示す図である。
【発明を実施するための形態】
【００１５】
以下、本発明の実施形態について、図面を参照しながら説明する。以下に説明する実施形態は、カラオケボックスＢ等の店舗又は、家庭に設置されたカラオケシステムを介してユーザにカラオケサービスを提供するカラオケ用通信システムに対して、本発明のカラオケシステム及びプログラムを適用した場合の実施形態である。
【００１６】
なお、カラオケサービスとは、例えば、カラオケの実施の他に、各ユーザの過去に歌唱した楽曲の一覧、お気に入りの楽曲の一覧、属性の登録、及び他のユーザとのコミュニケーションを図ることができるサービスである。
【００１７】
［１］カラオケ用通信システム
まず、図１を用いて本実施形態に係るカラオケ用通信システム１の概要構成について説明する。
【００１８】
なお、図１は、本実施形態に係るカラオケ用通信システム１の構成を示すシステム構成図である。また、図が煩雑になることを防止するために、図１においては、一部のカラオケシステム１０のみを示している。すなわち、実際のカラオケ用通信システム１においては、図１に表示するよりも多数のカラオケシステム１０が存在している。
【００１９】
本実施形態のカラオケ用通信システム１は、複数のユーザがグループにてカラオケに興じる際に、カラオケを視聴しているユーザ（以下、「視聴ユーザ」という。）が、歌に対する効果音（例えば、「ステキ！」、「格好良い！」、「最高！」、「グレイト！」、「ブーブー」等）を入力すると、当該入力された効果音を楽曲の所定箇所にて再生することが可能なカラオケ用のシステムである。
【００２０】
特に、本実施形態に係るカラオケ用通信システム１は、再生される効果音に応じて楽曲再生時にカラオケシステム１０に表示させる背景画像として再生される画像を切り換えて、カラオケ中に、背景画像の視聴を飽きさせること無く、かつ、当該背景画像にも興味を抱かせること可能な構成を有している。
【００２１】
また、本実施形態に係るカラオケ用通信システム１は、例えば、切り替わる画像によってストーリーが変更されるとともに、効果音に応じて当該ストーリーの結末を変化させる構成を有している
【００２２】
したがって、本実施形態のカラオケ用通信システム１は、カラオケデータの再生中に、歌唱者を含めたユーザに対して新たな興趣性のある背景画像を提供し、楽曲に合わせて歌唱するだけでなく、新たな魅力を提供することができるようになっている。
【００２３】
具体的には、本実施形態のカラオケ用通信システム１は、家庭や店舗に設置されるカラオケシステム１０と、リモコン機能を有する通信端末装置２０と、ネットワーク４０とにより、各種のデータを管理及びカラオケ用通信システム１のサービスを管理する管理サーバ装置３０と、を有している。
【００２４】
カラオケシステム１０は、カラオケボックスＢ等のカラオケ店舗にある装置の他に、家庭用ゲーム機、パーソナルコンピュータ、携帯型電話機、スマートフォン、タブレット型情報端末装置などの装置である。
【００２５】
また、カラオケシステム１０は、
（１）ユーザの選曲に基づいて、特定のカラオケデータを取得する取得機能と、
（２）取得したカラオケデータを再生して楽曲を演奏させるとともに、楽曲の演奏に伴って歌詞を表示するカラオケデータ再生機能と、
（３）楽曲の歌唱中において視聴ユーザが通信端末装置２０に行った指示入力に応じて、効果音を選択及び再生する効果音再生機能と、
（４）歌唱中において通信端末装置２０に入力された指示入力に応じて、歌詞とともに表示する背景画像を順次切り替えを行う背景画像表示機能と、
を有している。
【００２６】
通信端末装置２０は、赤外線又は無線により、カラオケシステム１０と通信を行う。
【００２７】
また、通信端末装置２０は、
（１）カラオケシステム１０から取得したデータに基づき表示を行う表示部と、
（２）表示部上に設けられたタッチパネル、各種の確認ボタン、各操作指令を入力する操作ボタン等を含む操作部と、
（３）赤外線、又は、Ｂｌｕｅｔｏｏｔｈ（登録商標）等の近距離無線通信規格に従って、カラオケシステム１０と通信を行う通信部と、
を有し、ユーザが、選曲を行うための指示入力及び効果音を選択する指示入力を行う際に用いられる。
【００２８】
ネットワーク４０は、例えば、携帯電話網を含む公衆電話網と、ＩＰ（Ｉｎｔｅｒｎｅｔ  Ｐｒｏｔｏｃｏｌ）ネットワークが相互接続されて構成される。ただし、当該ネットワーク４０の構成は、これに限られない。
【００２９】
管理サーバ装置３０は、
（１）カラオケ用通信システム１を用いて楽曲を再生するための楽曲音源データと、歌詞データ及びそれを表示制御する表示制御データから構成されるテロップデータと、を含むカラオケデータと、
（２）カラオケデータ毎に、すなわち、選曲番号その他の識別情報に関する情報と、
（３）対応する楽曲の楽曲ジャンル、楽曲タイトル、アーティスト名等の楽曲属性情報と、
（４）楽曲を構成する各楽曲パートの構成を示す楽曲構成情報と、
に対応するデータが記録されるデータベース（以下、「ＤＢ」という。）３００を有している。
【００３０】
なお、楽曲構成情報の形式は任意であり、例えば、当該楽曲の再生開始からの経過時間により、各楽曲パートの開始タイミング及び終了タイミングを規定するようにしてもよく、楽曲音源データに含まれる無音期間が所定時間以上（例えば、１秒以上）ある場合に、楽曲パートの切り替わりを検出して規定されたものであってもよい。また、楽曲の楽譜から、音階の変化に基づいて、楽曲パートの切り替わりを検出する構成としてもよい。さらに、Ａメロ、Ｂメロ、サビの区間により、楽曲パートの切り替わりを検出してもよい。
【００３１】
また、本実施形態の効果音は、ユーザ操作に基づく入力検出をしたタイミング後に直ぐに再生するようにしてもよいし、所定の再生区間、例えば、間奏中などの歌唱する区間以外の区間に再生するようにしてもよい。
【００３２】
なお、背景画像の切り替えを行う際に切り換える画像の選択方法は、例えば、効果音に対して一対一に画像を対応付けて、ユーザによる入力操作が検出される度に表示する画像を変更するようにしてもよいし、部分画像の切り換えるタイミングが予め決まっており、それまでに入力指示又は再生された効果音に基づいて画像を切り換えてもよい。
【００３３】
ただし、本実施形態においては、楽曲において予め設定された区間を示す楽曲パート毎に、効果音に基づく点数を集計し、当該集計した点数に基づいて背景画像として出力する部分画像データ選択する方法を採用するものとする。
【００３４】
［２］背景画像の選択及び切り替えの原理
次に、図２を用いて本実施形態に係るカラオケ用通信システム１のカラオケデータの再生時における背景画像を切り替える原理について説明する。なお、図２は、カラオケデータを構成する楽曲パートと、背景画像の関係性を示す図である。
【００３５】
本実施形態においては、例えば、図２に示すように、カラオケデータが、複数の楽曲パートに分けられるとともに、背景画像データは、当該楽曲パートに基づいて、複数の画像パート（以下、「部分画像」ともいう。）に分割されて構成されている。
【００３６】
そして、各楽曲パートに対応する画像パートを示すデータ（以下、「部分画像データ」ともいう。）は、連続する楽曲パート間において、互いに所与の関連性を有し、前後の楽曲パートに対応する他の部分画像データと連続するストーリーを構成する。
【００３７】
また、本実施形態においては、カラオケシステム１０は、各楽曲パート中に再生される効果音の種別及び回数に応じて、楽曲パート毎に点数を集計するとともに、集計した点数（以下、「集計点数」ともいう。）に応じて、ストーリーを分岐させるように、次の楽曲パートの部分画像データを選択し、選択した部分画像データ順次再生して一連のシナリオに対応する背景画像を表示させる構成を有している。
【００３８】
特に、本実施形態においては、カラオケシステム１０は、集計した集計点数が高ければ、グッドエンディングに導かれるとともに、集計した集計点数が低ければ、バッドエンディングに導かれるように、部分画像データを選択しつつ（すなわち、切り換えつつ）再生する、構成を有している。
【００３９】
例えば、本実施形態においては、カラオケシステム１０は、各楽曲パートの開始から当該楽曲パートの終了の所定時間前（例えば１０秒や１５秒前）までを所定期間として効果音の入力指示を無制限に検出するための構成を有している。そして、本実施形態においては、次の楽曲パートの開始までに当該次の楽曲パートで再生する部分画像を決定するようになっている。
【００４０】
なお、本実施形態においては、楽曲パート毎に選択可能な効果音を変化させてもよい。
【００４１】
このように、本実施形態においては、視聴ユーザの歌唱ユーザに対するカラオケの評価を、効果音の再生指示によって実行する側面も有しており、歌唱ユーザの評価が高ければ、グッドエンディングに導かれるとともに、当該歌唱ユーザの評価が低ければ、バッドエンディングに導かれるようになっている。
【００４２】
具体的には、カラオケシステム１０は、楽曲パート毎に、
（１）視聴ユーザによる指示入力を随時検出し、
（２）検出した効果音に対する点数を集計し、
（３）集計した点数に応じて、次の楽曲パートの部分画像データ（例えば、「ｐａｒｔ１」の場合には、「ｐａｒｔ２」の再生時に表示すべき部分画像データ）を選択し、
（４）次の楽曲パートへの切り替りタイミングから選択した部分画像データ（（３）で選択した部分画像データ「ｐａｒｔ２」）の再生を開始させる、構成を有している。
【００４３】
そして、カラオケシステム１０は、全ての楽曲パートのカラオケデータの再生が完了するまで（１）〜（４）の処理を繰り返して、楽曲パートが変わる度に表示する部分画像データを順次切り替えて、当該切り替わった部分画像を背景画像として表示するようになっている。
【００４４】
なお、背景画像の内容は、任意であるが、例えば、以下のようなものを用いる。
【００４５】
（１）ｐａｒｔ１の部分画像のストーリー
会社で課長職についているカメ。同僚と楽しく仕事及び飲み会に明け暮れる日々を過ごす。そんなある日、部長から呼び出しを受けアフリカに転勤しないかと相談される。
【００４６】
（２）ｐａｒｔ２の部分画像のストーリー
「ＡＡＡ」：転勤を受け入れ、現地に早速赴く。最初はなかなか言葉が通じず、悩む日々を過ごす。そんなとき、美人の同僚に励まされる。
「ＢＢＢ」：転勤を断り、会社を辞め、前々から興味のあったラーメン店を起こすために一から修行として有名なラーメン店で働く。そんなとき、父親が倒れたとの連絡を受ける。
「ＣＣＣ」：転勤を断り、会社に居残り続けるも、部長との関係が上手くいかず仕事の失敗が続く。そんなとき、前々から付き合っていた彼女から別れを告げられる。
【００４７】
この構成を採用した場合には、
（３Ａ）集計点数が高いと、順調な人生物語が展開される背景画像が表示され、
（３Ｂ）集計点数が低いと、どん底に落ちていく人生物語が展開される背景画像が表示される。
【００４８】
このように、視聴ユーザは、効果音の再生指示に応じて、ストーリーの変化する背景画像を楽しみながら、歌唱ユーザの歌唱を視聴することができるようになっている。
【００４９】
なお、最初のパートである「ｐａｒｔ１」に対応する部分画像データについては、予め１つの画像データが定められており、歌唱楽曲と関係なくデフォルトで選択されてもよいし、カラオケデータのジャンル毎若しくはアーティス毎、又は、当該カラオケデータが流行した年代毎などの特定のカラオケデータにおけるグループ毎に選択されてもよい。
【００５０】
また、楽曲の再生中に、効果音の再生が指示されない場合には、部分画像データの切り替えがなされない可能性があるため、「ｐａｒｔ１」に対応する部分画像データは、所定の長さ（例えば一楽曲分の全パートを補間する長さ）を有する構成になっていてもよいし、効果音の再生指示がない場合の２番目以降の部分画像データが予め設定されていてもよい。
【００５１】
さらに、各パートの背景画像の時間長は、「ｐａｒｔ１」の背景画像を除いて、任意であるが、楽曲パートと同じ時間長にて構成されることが望ましい。ただし、各部分画像データの再生時間が、各楽曲パートの再生時間に比べて短い場合には、時間調整用画像を用いてもよいし、反対に各部分画像データの再生時間が各楽曲パートの再生時間に比べて長い場合には、該当する部分画像データの再生を中止させて次の楽曲パートの部分画像データを再生してもよい。
【００５２】
［３］カラオケ装置
次に、図３〜５を用いて本実施形態のカラオケシステム１０について説明する。なお、図３は、本実施形態のカラオケシステム１０の構成を示すブロック図であり、図４及び５は、それぞれ、カラオケシステム１０の記録部１６０内に設けられる効果音ＤＢ１６１と、背景画像ＤＢ１６２に記録されるデータの一例を示す図である。
【００５３】
本実施形態のカラオケシステム１０は、図３に示すように、ネットワーク４０に通信接続され、管理サーバ装置３０から新譜などのカラオケデータを取得する通信制御部１１０と、カラオケデータを再生するカラオケ再生部１２０と、マイクＭから入力された音声信号に対して所定の処理を行う音声入力処理部１３０と、再生されたカラオケデータに基づいて演奏をスピーカＳＰに拡声させる拡声処理部１３１と、を有している。
【００５４】
また、カラオケシステム１０は、カラオケデータの再生中に歌詞及び背景画像、メニュー画面等を表示するための表示部１４０と、表示部１４０を制御する表示制御部１５０と、各種の情報に対応するデータ、管理サーバ装置３０から取得した新譜を含むカラオケデータ及びそれに対応した選曲番号の他、各種のＤＢが記録される記録部１６０と、近距離無線通信部１７０と、制御部１８０と、ＲＯＭ／ＲＡＭ１８１と、タイマー１８２と、を有している。
【００５５】
さらに、カラオケシステム１０は、カラオケデータの再生中に通信端末装置２０に対するユーザの指示入力を検出すると、当該指示入力により示される感情に即した効果音を再生するとともに、表示部１４０に表示する背景画像を切り替える処理を実行するデータ処理部２００と、有している。
【００５６】
なお、カラオケシステム１０の各部は、バスＢによって相互に接続されており、データの授受を実行している。
【００５７】
通信制御部１１０は、制御部１８０の制御の下、ネットワーク４０を介して、管理サーバ装置３０に接続して通信回線を構築し、新譜などのカラオケデータの授受のための通信を行う。
【００５８】
また、ユーザにより通信端末装置２０に入力された歌唱対象楽曲の選曲番号に対応するカラオケデータが、記録部１６０に記録されていない場合に、通信制御部１１０は、制御部１８０と連動しつつ、管理サーバ装置３０から、選当該選曲番号に対応付けられて記録されているカラオケデータを取得し、カラオケ再生部１２０に出力するようになっている。
【００５９】
カラオケ再生部１２０は、制御部１８０の制御の下、近距離無線通信部１７０を介して入力された選曲番号に基づいて、記録部１６０からカラオケデータを取得し、又は、通信制御部１１０を介して管理サーバ装置３０からカラオケデータを取得する。そして、カラオケ再生部１２０は、取得したカラオケデータに含まれる楽曲音源データであるＭＩＤＩ音源を制御する再生処理を実行する。
【００６０】
また、カラオケ再生部１２０は、カラオケデータの再生中に通信端末装置２０を用いたユーザの指示入力を受け付けると、当該指示入力に応じて、データ処理部２００により選択された効果音に対応する効果音データを記録部１６０から取得し、効果音を再生する。
【００６１】
なお、例えば、本実施形態のカラオケ再生部１２０は、制御部１８０及びデータ処理部２００と連動して、本発明の「再生手段」及び「効果音再生手段」を構成する。
【００６２】
すなわち、カラオケ再生部１２０は、再生処理によって生成された楽曲音源データを拡声処理部１３１に出力するとともに、歌詞データを所定のタイミングにて表示制御部１５０に出力する。
【００６３】
音声入力処理部１３０は、マイクＭから入力された信号を増幅その他の処理を実行しつつ、デジタル信号に変換し、拡声処理部１３１に出力する。
【００６４】
表示部１４０は、例えば、有機ＥＬ（Ｅｌｅｃｔｒｏ−Ｌｕｍｉｎｅｓｃｅｎｃｅ）素子又は液晶表示素子によって構成され、表示制御部１５０の制御にしたがって所定の映像信号を表示する。具体的には、表示部１４０は、カラオケデータの再生に同期させつつ、背景画像データと歌詞データが含まれる描画データに従い背景画像と歌詞とを表示する。
【００６５】
表示制御部１５０は、制御部１８０の制御の下、表示部１４０に所定の背景画像と歌詞とを描画させるために必要な描画データを生成し、生成した描画データを当該表示部１４０に出力する。
【００６６】
特に、表示制御部１５０は、カラオケデータの再生時に、制御部１８０及びデータ処理部２００と連動して、視聴ユーザによる効果音の入力指示に応じて、選択された部分画像データを取得し、表示部１４０に表示させるようになっている。
【００６７】
なお、例えば、本実施形態の表示制御部１５０は、制御部１８０及びデータ処理部２００と連動して、本発明の「表示制御手段」を構成する。
【００６８】
記録部１６０には、ＨＤＤ（Ｈａｒｄ  Ｄｉｓｃ  Ｄｒｉｖｅ）又はＳＳＤ（Ｓｏｌｉｄ  Ｓｔａｔｅ  Ｄｒｉｖｅ）により構成される。特に、記録部１６０には、その記録領域内に効果音ＤＢ１６１と、背景画像ＤＢ１６２と、が設けられている。なお、本実施形態の効果音ＤＢ１６１及び背景画像ＤＢ１６２は、それぞれ、例えば、本発明の「第２の記録手段」及び「第３の記録手段」を構成する。
【００６９】
効果音ＤＢ１６１は、視聴ユーザ等による通信端末装置２０への入力操作に基づき再生される効果音に対応する効果音データが記録されるＤＢである。
【００７０】
そして、効果音ＤＢ１６１には、図４に示すように、カラオケシステム１０に対してユーザが行った指示入力に対応する効果音毎に、
（１）指示入力の検出時に再生すべき効果音に対応する効果音データと、
（２）点数と、
が記録される。
【００７１】
例えば、図４に例示する場合には、「キャー」なる効果音が指示入力として検出された場合に「ｅｆｆｅｃｔ００１」なる効果音データが再生されることを示すとともに、この場合に、点数として、「３点」が付与されることを示している
【００７２】
なお、この際に再生される効果音は、任意であり、例えば、「キャー」という女性の声としてもよい。
【００７３】
また、効果音ＤＢ１６１は、用途（例えば、「同窓会用」、「接待用」等）に応じて複数設け、「同窓会用」であれば、冷やかし用の効果音を選択できるようにし、「接待用」であれば、相手を褒めちぎる効果音を選択可能な構成とすることもできる。
【００７４】
この場合には、選曲前に用途に応じたＤＢを選択することにより、場の雰囲気に最適な効果音を選択できるようにすることができる。また、この場合には、楽曲パート毎に利用する効果音ＤＢ１６１を切り替えるようにしてもよい。
【００７５】
背景画像ＤＢ１６２は、ユーザがカラオケシステム１０に対して行った、指示入力に応じて、再生される複数の部分画像データから構成される画像群のデータである背景画像データが記録されるためのＤＢである。
【００７６】
この背景画像ＤＢ１６２には、図５に示すように、部分画像データ毎に、
（１）次の楽曲パートにおける部分画像データを選択するための集計点数の値（範囲）と、
（２）各集計点数に応じて選択され次に再生される部分画像データと、
が対応付けて記録される。
【００７７】
また、背景画像ＤＢ１６２は、図５に示すように、一つ前の楽曲パートにおいて選択された部分画像データ毎に次に選択されるべき部分画像データが複数対応付けて記録された構成になっている。
【００７８】
この結果、例えば、「ｐａｒｔ２」の部分画像として、現楽曲パートには「ＡＡＡ」の部分画像データが選択されている場合には、「ｐａｒｔ２」の部分画像の再生中の集計点数に応じて、「ＤＤＤ」、「ＥＥＥ」、「ＦＦＦ」及び「ＸＸＸ」のいずれの部分画像データが選択されるとともに、順次同様に部分画像データが選択されていく。
【００７９】
さらに、各部分画像データは、各楽曲パートを通して、前の楽曲パートの部分画像データと関連するストーリー性を有する内容によって構成されている。
【００８０】
そして、上記のように選択された部分画像データに基づく部分画像を連続して表示していくことにより、一連のストーリーに対応する背景画像が、順次表示部１４０に表示されていくことになる。
【００８１】
近距離無線通信部１７０は、ＩｒＤＡ（Ｉｎｆｒａｒｅｄ  ｄａｔａ  Ａｓｓｏｃｉａｔｉｏｎ）等の赤外線通信、又は、ｂｌｕｅｔｏｏｔｈ（登録商標），ＩＥＥＥ８０２．１５．４、無線ＬＡＮ等の近距離無線通信規格に従い、通信端末装置２０とデータの授受を行う。
【００８２】
例えば、近距離無線通信部１７０は、通信端末装置２０を用いたユーザの指示入力を受け付け、対応する命令コマンドをバスに出力するとともに、データ処理部２００による制御の下、効果音の再生を指示する指示入力を行わせるための入力画面のデータを通信端末装置２０に送信する。
【００８３】
制御部１８０は、主に中央演算処理装置（ＣＰＵ）によって構成されるとともに、キー入力ポート、表示制御ポート等の各種入出力ポートを含み、カラオケシステム１０の全般的な機能を総括的に制御する。なお、例えば、本実施形態の制御部１８０は、記録部１６０及びデータ処理部２００と連動して、本発明の「第１制御手段」及び「第２制御手段」を構成する。
【００８４】
ＲＯＭ／ＲＡＭ１８１には、カラオケシステム１０の駆動に必要な各種のプログラムが記録されている。また、ＲＯＭ／ＲＡＭ１８１は、カラオケ再生部１２０、制御部１８０及びデータ処理部２００が各種の処理を実行する際のワークエリアとして用いられる。
【００８５】
タイマー１８２は、制御部１８０の制御の下、日付も含めて現在時刻を出力する。
【００８６】
データ処理部２００は、独立した中央演算処理装置（ＣＰＵ）によって構成され、又は、制御部１８０の中央演算処理装置（ＣＰＵ）を用いて構成され、所定のアプリケーションを実行することにより、点数集計部２１０と、効果音決定部２２０と、背景画像決定部２３０と、を含む。
【００８７】
なお、例えば、本実施形態の、点数集計部２１０と効果音決定部２２０は、制御部１８０と連動しつつ、本発明の「第１制御手段」を構成するとともに、背景画像決定部２３０は、制御部１８０と連動して、本発明の「第２制御手段」を構成する。
【００８８】
効果音決定部２２０は、通信端末装置２０にユーザが行った指示入力に応じて、ユーザの選択した効果音を特定し、当該特定した効果音に対応する効果音データを効果音ＤＢ１６１から読み出す。そして、効果音決定部２２０は、読み出した交換音データを所定のタイミングにてカラオケ再生部１２０に出力して、効果音を再生させる。
【００８９】
なお、効果音決定部２２０は、指示入力を受け付けたタイミングで、間奏などの歌唱する部分以外のタイミング、又は、指示入力を受け付けた際の歌詞のフレーズの終わり若しくは次の歌詞の先頭のタイミングにカラオケ再生部１２０に指示をする。
【００９０】
点数集計部２１０は、楽曲パート毎に当該パートにおいて入力された効果音の種別毎の選択回数をカウントするとともに、各効果音に付されている点数に基づいて、楽曲パート毎の効果音に基づく点数を集計する。
【００９１】
具体的には、点数集計部２１０は、楽曲パート毎に、効果音の種別毎のカウント数と、効果音ＤＢ１６１に記録された点数を乗算して点数を集計する。特に、また、点数集計部２１０は、部分画像データを選択する処理の処理時間を考慮して楽曲パートの終了の数秒前（例えば１０秒や１５秒前）を検出し、その結果を背景画像決定部２３０に提供する。
【００９２】
また、点数集計部２１０は、楽曲パートの終了時にカウンタをリセットし、再度、次の楽曲パートにおける選択回数のカウントを開始する。
【００９３】
例えば、点数集計部２１０は、「キャー」が、３回、「サイコー」が、２回、「グレイト」が３回選択された場合に、点数集計部２１０は、当該パートにおける点数を「３２点」と集計する。
【００９４】
背景画像決定部２３０は、点数集計部２１０によって集計された点数に基づき、背景画像ＤＢ１６２から背景画像データを読み出し、当該読み出した背景画像データをカラオケ再生部１２０に供給することにより、表示部１４０に背景画像を表示させる。
【００９５】
特に、背景画像決定部２３０は、点数集計部２１０によって集計された点数に基づいて次の楽曲パートの開始タイミングまでに次の楽曲パートで表示する部分画像データを決定する。なお、背景画像決定部２３０は、楽曲パート毎に集計された点数が属する範囲に対応付けられた部分画像データを次の楽曲パートで表示する部分画像データに決定する。
【００９６】
［４］カラオケ用通信システムの動作。
次に、図６〜図８を参照しつつ、本実施形態のカラオケ用通信システムの動作について説明する。
【００９７】
なお、図６及び図７は、本実施形態のカラオケシステム１０において実行される処理を示すフローチャートであり、図８は、本実施形態の通信端末装置２０にて、ユーザに効果音を入力させる際に表示される入力画面の一例を示す図である。
【００９８】
また、本動作においては、以下の処理に先立って、記録部１６０内の各ＤＢ１６１及び１６２には、それぞれ、図４及び図５に例示する各データが既に記録されているものとする。
【００９９】
また、歌唱ユーザとともにカラオケに興じるグループメンバーは、既に、カラオケ用通信システム１のサービスにログイン済みの状態（すなわち、カラオケを実施可能な状態）になっているものとする。
【０１００】
さらに、「ｐａｒｔ１」の楽曲パートに対応する部分画像データはデフォルトで決定されているものとし、楽曲パート毎に対応する部分画像データを用いるものとして説明する。
【０１０１】
まず、制御部１８０は、通信制御部１１０を介して、通信端末装置２０から送信された選曲番号を受信すると（ステップＳ１）、記録部１６０に記憶されるカラオケデータを取得するか、または通信制御部１１０と連動して、管理サーバ装置３０から、当該選曲番号に対応するカラオケデータを取得する（ステップＳ２）。
【０１０２】
次いで、制御部１８０は、背景画像決定部２３０と連動して、背景画像ＤＢ１６２から、予め定められた「ｐａｒｔ１」の背景画像データを読み出させる（ステップＳ３）。
【０１０３】
そして、制御部１８０は、取得したカラオケデータをカラオケ再生部１２０に供給しつつ、「ｐａｒｔ１」に対応する部分画像データの再生を開始させる（ステップＳ４）。
【０１０４】
なお、制御部１８０は、部分画像データを表示制御部１５０に供給し、「ｐａｒｔ１」の部分画像を表示部１４０への表示を開始する（ステップＳ５）。
【０１０５】
次いで、制御部１８０は、図８に例示する入力画面データを生成し、近距離無線通信部１７０を介して、通信端末装置２０に送信し、再生終了を検出したか否かを判定する状態になる（ステップＳ６）。
【０１０６】
なお、通信端末装置２０は、図８に例示するように、ユーザに効果音に対応するボタンを選択可能に、入力画面データに基づいて入力画面を所定の領域に表示する。本実施形態においては、通信端末装置２０にのみ当該入力画面が表示され、カラオケシステム１０には表示されない。
【０１０７】
通信端末装置２０に入力画面を表示することで、歌唱者には見られずに、効果音を選択することが可能となり、歌唱者にとっても、どのようは効果音が再生され、どのようは背景映像が表示されるかわからないため、緊張感をもって歌唱することができ、歌唱者自身も楽しめる。
【０１０８】
次いで、制御部１８０は、予め定められた時間（例えば１秒毎に）毎に、カラオケデータの再生が終了したか否かを判定するとともに（ステップＳ７）、通信端末装置２０から送信された指示入力を受信した否かを判定する（ステップＳ８）。
【０１０９】
このとき、制御部１８０は、再生終了と判定した場合には、本動作を終了させ、再生終了と判定しなかった場合であって、当該指示入力を受信したと判定しなかった場合には、ステップＳ７の処理に移行する。すなわち、制御部１８０は、再生終了を検出するまで、指示入力の判定と終了判定を繰り返す。
【０１１０】
一方、制御部１８０が再生終了と判定しなかった場合であって、近距離無線通信部１７０によってユーザによる指示入力を受信すると、効果音決定部２２０は、制御部１８０と連動しつつ、当該指示入力により示される効果音を特定し（ステップＳ９）、カラオケ再生部１２０に供給して、効果音データを再生させる（ステップＳ１０）。
【０１１１】
なお、効果音データを間奏中等に再生する必要がある場合は、意図的に効果音データの再生タイミングをずらすようにしてもよい。
【０１１２】
次いで、制御部１８０は、楽曲パートの所定のタイミングが到来したか否かを判定する（ステップＳ１１）。具体的には、制御部１８０は、楽曲パートの終了タイミングから所定時間（例えば１０秒や１５秒）前のタイミングを検出する。
【０１１３】
このとき、制御部１８０は、所定のタイミングが到来していないと判定した場合には、ステップＳ７の処理に移行し、当該タイミングが到来したと判定した場合には、ステップＳ１２の処理に移行する。
【０１１４】
次いで、点数集計部２１０は、当該楽曲パートの再生による所定期間中に受信された指示入力に対応する各効果音のカウント数と、効果音ＤＢ１６１に記録された点数と、に基づき、当該楽曲パートにおける点数を集計する（ステップＳ１２）。
【０１１５】
次いで、背景画像決定部２３０は、当該集計された点数と、現在再生中の部分画像データとに基づいて、かつ、背景画像ＤＢ１６２に記録された部分画像データに基づいて、次の楽曲パートにて表示すべき部分画像データを特定する（ステップＳ１３）。
【０１１６】
次いで、背景画像決定部２３０は、カラオケ再生部１２０に特定した部分画像データの再生開始を指示し、次の楽曲パートの開始タイミングから該当する部分画像の表示部１４０への表示を開始させ（ステップＳ１３）、ステップＳ７の処理に移行する。
【０１１７】
なお、カラオケ再生部１２０は、次の楽曲パートの終了に基づく所定のタイミングまで、又は、再生終了までステップＳ１３にて特定された部分画像データを再生して該当する部分画像を表示部１４０に表示する。
【０１１８】
以上説明したように、本実施形態のカラオケ用通信システム１は、効果音の再生指示に基づいて、カラオケデータの再生中に任意のタイミングで再生するストーリー性のある画像を切り換えて再生することができるので、再生される画像に飽きること無く、かつ、当該画像にも興味を抱かせることができる。
【０１１９】
したがって、本実施形態のカラオケ用通信システム１は、各ユーザの画像に対する興趣性を向上させることができるので、カラオケデータの再生中に、歌唱者を含めたユーザについて画像による新たな興趣性を提供し、楽曲に合わせて歌唱するだけでなく、新たな魅力を提供することができる。
【０１２０】
［５］変形例
［５．１］変形例１
上記実施形態においては、楽曲パート毎の効果音に基づく点数に応じて次の楽曲パートで再生すべき部分画像データを選択し、カラオケデータの再生に合わせて部分画像を切り換えて再生しているが、入力指示された効果音の種別に基づいて、部分画像データを選択し、選択した部分画像データに基づいて部分画像を切り換えて再生してもよい。
【０１２１】
この場合においては、背景画像ＤＢ１６２には、図９に示すように、効果音の種別毎に、現在再生している部分画像データが対応付けられつつ、選択される次の部分画像データが対応付けて記録される。
【０１２２】
また、背景画像ＤＢ１６２は、図９に示すように、一つ前のパートにおいて選択された部分画像データ毎に次に選択されるべき部分画像データが複数対応付けて記録された構成になっている。
【０１２３】
例えば、図９には、「ｐａｒｔ１」の部分画像が再生中に、効果音「拍手」が指示された場合に、Ｐａｒｔ１の部分画像データに続いて再生されるＰａｒｔ２の部分画像データとして「ＡＡＡ」の部分画像データが選択されること、効果音「口笛」が指示された場合には、Ｐａｒｔ１の部分画像データに続いて再生される部分画像データとして「ＢＢＢ」の部分画像データが選択されることが示されている。
【０１２４】
また、例えば、Ｐａｒｔ２の部分画像データにおいては、Ｐａｒｔ１で再生されている際に
（１）効果音「キャーキャー」、「拍手」又は「いよ、日本一」が指示された場合には、幸せな内容の部分画像データが再生させ、
（２）効果音「動物の鳴き声」、「口笛」又は「いーねー」が指示された場合には、通常のストーリー（デフォルト）の内容の部分画像データが再生され、
（３）効果音「ブーブー」、「サイレン」又は「表情堅いよ」が指示された場合には、悲しい又は笑える内容の部分画像データが再生させる。
【０１２５】
なお、この場合には、背景画像決定部２３０は、効果音が指示されたタイミングで現在再生されている部分画像データから当該効果音に対応付けられた部分画像データを再生してもよいし、効果音が指示されたタイミングの後のタイミングであって、現在再生されている部分画像データの再生終了タイミング、又は、楽曲パートの切り替えタイミングなどの所定のタイミングから該効果音に対応付けられた部分画像データを再生してもよいし。
【０１２６】
［５．２］変形例２
上記実施形態において、効果音は、かけ声、拍手、歓声等とする場合を例に説明を行ったが、効果音は、例えば、太鼓、口笛、ギター音等の楽器の音声に対応する効果音、動物の鳴き声の他、「さあ、○○さんが心をこめて歌います。恋の賛歌です」、「○○さんの入場です」等のアナウンスを効果音にするようにしてもよい。
【０１２７】
［５．３］変形例３
上記実施形態においては、カラオケボックスＢ等に設置されたカラオケシステム１０について説明したが、家庭用のゲーム機器、又は、スマートフォンやタブレット型情報端末装置などの通信機器に同様のデータを記憶させ、アプリケーションに基づく処理を行うことによって、上記各機能を実現することが可能である。
【０１２８】
［５．４］変形例４
上記実施形態においては、歌唱者の歌唱音に基づくカラオケシステム１０について説明したが、ギターやドラムなどの楽器音に基づくカラオケシステム１０又はカラオケ用通信システム１に適用することも可能である。この場合には、カラオケシステム１０は、マイクＭや他の入力装置によって楽器音やその信号を取得すればよい。
【０１２９】
［５．５］変形例５
上記実施形態においては、カラオケシステム１０に効果音ＤＢ１６１及び背景画像ＤＢ１６２を設け、カラオケシステム１０にて全ての処理を実行することとしたが管理サーバ装置３０にこれらＤＢ及びデータ処理部２００の機能を設け、管理サーバ装置３０において、上記処理を実行するようにしてもよい。
【０１３０】
この場合には、通信端末装置としてスマートフォン等を利用し、ユーザの指示入力をネットワーク４０を介して、管理サーバ装置３０に送信するようにすればよい。
【０１３１】
［５．６］変形例６
上記実施形態においては、カラオケシステム１０は、通信端末装置２０を介してユーザに選択可能な効果音を提供する際に、歌唱区間に対応付けて音声の効果音又は音声で無い効果音を使い分けてもよいし、当該歌唱区間の有無によって効果音の種類を代えて提供してもよい。
【０１３２】
例えば、カラオケシステム１０は、歌唱区間においては、音声の無い効果音を提供し、間奏中などの非歌唱区間においては、音声の効果音を選択可能に通信端末装置２０に提供する。
【０１３３】
また、カラオケシステム１０は、歌唱ユーザ及び聴取ユーザの複数がカラオケサービスにログインしている場合、当該ログインしているユーザがカラオケサービス上フレンドとしてつながりがあるなど、ログインと対応付けて選択可能な効果音を使い分けてもよい。
【符号の説明】
【０１３４】
１  …  カラオケ用通信システム
１０  …  カラオケシステム
２０  …  通信端末装置
３０  …  管理サーバ装置
３００  …  データベース
４０  …  ネットワーク
３０  …  管理サーバ装置
１１０  …  通信制御部
１２０  …  カラオケ再生部
１３０  …  音声入力処理部
１３１  …  拡声処理部
１４０  …  表示部
１５０  …  表示制御部
１６０  …  記録部
１６１  …  効果音ＤＢ
１６２  …  背景画像ＤＢ
１７０  …  近距離無線通信部
１８０  …  制御部
１８１  …  ＲＯＭ／ＲＡＭ
１８２  …  タイマー
２００  …  データ処理部
２１０  …  点数集計部
２２０  …  効果音決定部
２３０  …  背景画像決定部
【図１】
0006472050.tif 000002
【図２】
0006472050.tif 000003
【図３】
0006472050.tif 000004
【図４】
0006472050.tif 000005
【図５】
0006472050.tif 000006
【図６】
0006472050.tif 000007
【図７】
0006472050.tif 000008
【図８】
0006472050.tif 000009
【図９】
0006472050.tif 000010